(57)【要約】 【目的】前端寄り部位の絶縁層に、周方向に切り込みが形成された絶縁電線に対し、この切り込みよりその前端側にある絶縁層を簡易、迅速に除去できるようにする。【解決手段】バネ２６によって閉じられている一対の爪部材２０の爪先相２２互の間に、絶縁電線２００が前端２０２からバネ２６に抗して押込まれることによって、該爪先２２相互の間が開くように構成されてなる絶縁層除去装置を用いる。絶縁電線２００を、その前端２０２から爪先２２相互の間に向けて前進させて押込み、切り込み２０７が、爪先２２位置と同位置となるようにし、その後引き戻す。この工程中、その押込み終了時に、爪先２２をバネ２６の作用によって切り込み２０７に入り込ませる。そして、爪先２２を前端側に位置する除去対象の絶縁層２０５ｂの後端２０３に係合させ、この状態で絶縁電線を引き戻す。これにより、除去対象の絶縁層２０５ｂは絶縁電線の前端から除去される。【選択図】  図９
2014241659.tif 000002
【特許請求の範囲】
【請求項１】
前端寄り部位の絶縁層に、周方向に切り込みが形成された絶縁電線に対し、この切り込みよりその前端側にある絶縁層を除去する、絶縁電線における絶縁層の除去方法において、
前記切り込みに入り込み可能に形成された爪先を有する複数の爪部材が、前記絶縁電線を挟み付け得るようにその爪先相互が向かい合う配置で、閉じ合うように設けられてなる絶縁層除去装置であって、前記複数の爪部材が、バネによって閉じられている一方、閉じられているときのその爪先相互の間に、前記絶縁電線が前記前端から前記バネに抗して押込まれることによって、該爪先相互の間が開くように構成されてなる絶縁層除去装置を用い、
前記絶縁電線を、前記前端から前記爪先相互の間に向けて前進させて押込み、前記切り込みが、該爪先位置と同位置となるか、又はその爪先位置を越える位置となるようにし、その後引き戻し、その押込み終了時、又は押込み後から引き戻し過程の間において、該爪先を前記バネの作用によって前記切り込みに入り込ませると共に前記前端側に位置する除去対象の絶縁層の後端に係合させ、この係合状態において該絶縁電線を引き戻して該除去対象の絶縁層を除去することを特徴とする、絶縁電線における絶縁層の除去方法。
【請求項２】
前記爪部材のうち、前記絶縁電線の前端によって押込み力を受ける少なくとも爪先寄り部位の後方向き面が、複数の爪部材の該後方向き面の組合せによって、該前端が押込まれて前進する前方に向けて先すぼまり状をなすように形成されていることを特徴とする、請求項１に記載の絶縁電線における絶縁層の除去方法。
【請求項３】
前記絶縁層除去装置には、閉じられているときの前記爪先相互の間に前記絶縁電線の前端を押込む際のガイド手段が設けらており、該絶縁電線をこのガイド手段にガイドさせて押込むことを特徴とする、請求項１又は２のいずれか１項に記載の絶縁電線における絶縁層の除去方法。
【請求項４】
前記絶縁層除去装置には、前記絶縁電線の押し込みにおいて所定の押込みストロークが得られるように、押込まれる絶縁電線の前端が当るストッパが設けられており、その押し込みにおいてその前端を該ストッパに当接させることを特徴とする、請求項１〜３のいずれか１項に記載の絶縁電線における絶縁層の除去方法。
【請求項５】
前記爪部材は、対向して２つ設けられており、互いに平行な軸の回りに揺動するようにピン止めされていることを特徴とする、請求項１〜４のいずれか１項に記載の絶縁電線における絶縁層の除去方法。
【請求項６】
前端寄り部位の絶縁層に、周方向に切り込みが形成された絶縁電線に対し、周方向に切り込みを形成しておき、この切り込みよりその前端側にある絶縁層を除去するのに使用される絶縁層除去装置であって、
前記切り込みに入り込み可能に形成された爪先を有する複数の爪部材が、前記絶縁電線を挟み付け得るようにその爪先相互が向かい合う配置で、閉じ合うように設けられており、前記複数の爪部材が、バネによって閉じられている一方、閉じられているときのその爪先相互の間に、前記絶縁電線が前記前端から前記バネに抗して押込まれることによって、該爪先相互の間が開くように構成されてなる爪部材装置を備えてなることを特徴とする絶縁層除去装置。
【請求項７】
前記絶縁電線の前端を爪先相互間にガイドして押込むためのガイド手段と、該爪先相互間に押込まれる絶縁電線の前端が当てられるストッパと、を備えてなることを特徴とする、請求項６に記載の絶縁層除去装置。
【発明の詳細な説明】
【技術分野】
【０００１】
本発明は、端寄り部位の絶縁層に、周方向に切り込みが形成された絶縁電線に対し、この切り込みよりその端側にある絶縁層を除去する、絶縁電線における絶縁層の除去方法、及びそれに使用する絶縁層除去装置に関する。
【背景技術】
【０００２】
絶縁電線（絶縁層付きの電線、又はケーブル）の端部（前端部又は後端部）における絶縁層の除去方法としては従来各種の方法が知られている。例えば、比較的細い絶縁電線の場合、簡易な方法としては、いわゆるニッパなどの工具を用いる方法である。この方法では、工具の刃で、ケーブルの端寄り部位（前端寄り部位又は後端寄り部位）の所定位置において、内部の導体（芯線）を切断することなく、その導体回りの絶縁層（絶縁被覆層。例えばビニル又はポリエチレン）を周方向に切り込む。そして、その切り込み状態のまま、工具を絶縁電線の端側に移動することで、除去対象の絶縁層を抜き取る（剥ぎ取る）というものである（特許文献１）。
【０００３】
ところで、絶縁電線の端部寄り部位に入れられた切り込みよりも端（以下、前端ともいう）側の絶縁層を除去するとしても、除去対象の絶縁層の抜き取り（又は剥ぎ取り）は、その切り込みとは別の場所など、別工程で行いたい場合がある。例えば、多数の絶縁電線が束となるように組まれてなるワイヤハーネス仕掛品において、その各絶縁電線の端に端子金具を圧着するような場合である。というのは、このようなものでは、多数の絶縁電線のすべてにおいて、その端部に導体を露出させておき、その状態において、電線１本づつに、順番に端子金具を固着するとなると、露出している導体が、その固着過程に至るまでの移送、或いは取り扱い過程において変形してしまうことがあり、その導体が端子金具の圧着部に円滑に入らず、圧着作業がやり難くなるためである。とくに、各絶縁電線が細い多数の導体（より線）を芯線とするものであるときにおいては、その多数の絶縁電線の端に露出している導体をなす細い電線がばらけたり、曲り変形を起こしやすく、こうした問題が発生しやすい。
【０００４】
これに対し、各絶縁電線には絶縁層に切り込みのみが入れられたものであり、圧着の作業工程に応じて、その工程を行う直前において、切り込みから先の絶縁層を抜き取ってその端に導体を露出させ、その直後に端子金具を圧着することとすれば、上記した変形の問題は生じない。したがって、全体としてその圧着工程の効率化が図られる。これが、絶縁層には切り込みのみを入れておき、除去対象の絶縁層の抜き取り（又は剥ぎ取り）を別工程で行いたい場合の例である。
【先行技術文献】
【特許文献】
【０００５】
【特許文献１】特開２００４−１４０９７９号公報
【発明の概要】
【発明が解決しようとする課題】
【０００６】
ところが、従来、絶縁電線の端寄り部位に導体を露出させるため、予め、絶縁層に切り込みを形成しておくとしても、その後、切り込みより端側にある絶縁層を除去する、簡易、効率的な方法、及びそれに好適な装置は存在しなかった。また、このように、絶縁電線に切り込みが設けられたものでは、その後、別工程で、除去対象の絶縁層の除去を容易とするため、単に切り込みを入れるだけでなく、切り込みに、微小幅（１〜２ｍｍ程度）の空隙（隙間）を積極的に設ける場合がある。このような場合、本願発明者らは、その隙間に対応した厚みの薄い、例えば金属帯板の一側に、その絶縁電線が、切り込み箇所において丁度嵌り込むように、その導体の直径に略一致するＵ字状の切欠き形成してジグとし、これを用いてその除去を行っていた。具体的には、絶縁電線をその切り込みにおいてジグの切欠きに嵌め込むようにし、除去対象の絶縁層の端（後端）に、その切欠きの縁を爪として係合させ、その状態で絶縁電線を後端側に引張ることで、除去対象の絶縁層を導体から抜き取るというものである。
【０００７】
しかし、このようなジグによるときは、作業者は、絶縁電線を手にとって、１〜２ｍｍ程度と狭い切り込み箇所の空隙が、ジグの切欠きに嵌り込むように、目でその位置関係を慎重に追い、確認しながら、その絶縁電線を側方へ移動し、押込む必要がある。このため、簡易、迅速なその抜き取り、除去ができないという問題があった。しかも、このような切り込みにおける空隙の溝幅は、その形成時のバラツキや絶縁電線の移送ないし取り扱い過程等で、ジグの板厚より小さくなっていることがある。したがって、このような場合には、作業者において、その切り込みにおける空隙の溝幅を、自身の手の爪で広げる面倒な作業が必要となっていた。これは例えば、その絶縁電線が次のような処理をなされる場合に生じる。すなわち、絶縁電線の切り込み形成側の端を、ゴム製のシール部材に設けられた貫通穴に通して、複数の絶縁電線をシール部材に組付けておくような場合である。このような場合には、引き出されたその端側の切り込みにおける空隙の溝幅は、貫通穴へ通す際の挿入抵抗により、その挿入前よりも、小さくなるためである。
【０００８】
本発明は、上記したような問題点に鑑み、端寄り部位の絶縁層に、周方向に切り込みが形成されている絶縁電線において、この切り込みよりその端側にある絶縁層を簡易、迅速に抜き取り、除去できる方法、及びその方法に好適な絶縁層除去装置を提供することをその目的とする。
【課題を解決するための手段】
【０００９】
請求項１に記載の本発明は、前端寄り部位の絶縁層に、周方向に切り込みが形成された絶縁電線に対し、この切り込みよりその前端側にある絶縁層を除去する、絶縁電線における絶縁層の除去方法において、
前記切り込みに入り込み可能に形成された爪先を有する複数の爪部材が、前記絶縁電線を挟み付け得るようにその爪先相互が向かい合う配置で、閉じ合うように設けられてなる絶縁層除去装置であって、前記複数の爪部材が、バネによって閉じられている一方、閉じられているときのその爪先相互の間に、前記絶縁電線が前記前端から前記バネに抗して押込まれることによって、該爪先相互の間が開くように構成されてなる絶縁層除去装置を用い、
前記絶縁電線を、前記前端から前記爪先相互の間に向けて前進させて押込み、前記切り込みが、該爪先位置と同位置となるか、又はその爪先位置を越える位置となるようにし、その後引き戻し、その押込み終了時、又は押込み後から引き戻し過程の間において、該爪先を前記バネの作用によって前記切り込みに入り込ませると共に前記前端側に位置する除去対象の絶縁層の後端に係合させ、この係合状態において該絶縁電線を引き戻して該除去対象の絶縁層を除去することを特徴とする。
【００１０】
請求項２に記載の本発明は、
前記爪部材のうち、前記絶縁電線の前端によって押込み力を受ける少なくとも爪先寄り部位の後方向き面が、複数の爪部材の該後方向き面の組合せによって、該前端が押込まれて前進する前方に向けて先すぼまり状をなすように形成されていることを特徴とする、請求項１に記載の絶縁電線における絶縁層の除去方法である。
請求項３に記載の本発明は、前記絶縁層除去装置には、閉じられているときの前記爪先相互の間に前記絶縁電線の前端を押込む際のガイド手段が設けらており、該絶縁電線をこのガイド手段にガイドさせて押込むことを特徴とする、請求項１又は２のいずれか１項に記載の絶縁電線における絶縁層の除去方法である。
【００１１】
請求項４に記載の本発明は、前記絶縁層除去装置には、前記絶縁電線の押し込みにおいて所定の押込みストロークが得られるように、押込まれる絶縁電線の前端が当るストッパが設けられており、その押し込みにおいてその前端を該ストッパに当接させることを特徴とする、請求項１〜３のいずれか１項に記載の絶縁電線における絶縁層の除去方法である。
請求項５に記載の本発明は、前記爪部材は、対向して２つ設けられており、互いに平行な軸の回りに揺動するようにピン止めされていることを特徴とする、請求項１〜４のいずれか１項に記載の絶縁電線における絶縁層の除去方法である。
【００１２】
請求項６に記載の本発明は、前端寄り部位の絶縁層に、周方向に切り込みが形成された絶縁電線に対し、周方向に切り込みを形成しておき、この切り込みよりその前端側にある絶縁層を除去するのに使用される絶縁層除去装置であって、
前記切り込みに入り込み可能に形成された爪先を有する複数の爪部材が、前記絶縁電線を挟み付け得るようにその爪先相互が向かい合う配置で、閉じ合うように設けられており、前記複数の爪部材が、バネによって閉じられている一方、閉じられているときのその爪先相互の間に、前記絶縁電線が前記前端から前記バネに抗して押込まれることによって、該爪先相互の間が開くように構成されてなる爪部材装置を備えてなることを特徴とする。
請求項７に記載の本発明は、前記絶縁電線の前端を爪先相互間にガイドして押込むためのガイド手段と、該爪先相互間に押込まれる絶縁電線の前端が当てられるストッパと、を備えてなることを特徴とする、請求項６に記載の絶縁層除去装置である。
【発明の効果】
【００１３】
本発明の絶縁電線における絶縁層の除去方法によれば、前端寄り部位に切り込みが入れられた絶縁電線を、その前端から、上記絶縁層除去装置の爪先相互間に向けて、すなわち、絶縁電線を、その前端から前記爪先相互の間に向けて前進させるように所定量、押込み、その後、その絶縁電線を引き戻す（後退させる）という工程により、除去対象の絶縁層の抜き取り除去を行うものである。そして、この工程に使用される上記絶縁層除去装置においては、その爪先がバネの力で閉じ合うように設けられている。このため、その押込み終了時、引き戻し過程の間において、この爪先を絶縁電線の切り込みに容易に入り込ませることができるから、除去対象の絶縁層の除去を簡易、迅速に行うことができる。このように、本発明によれば、絶縁電線の前進後進という単純作業で、除去対象の絶縁層の除去を行うことができるから、その簡易、迅速化が図られる。
【００１４】
なお、爪部材の爪先は、それが切り込みに入り込み易くなるように、とくに、切り込みに空隙（隙間）が無いか、殆ど無い場合や、小さい場合には、なるべく鋭利としておくのがよい。一方、切り込みに生じている空隙の溝幅（その切り込みにおける、電線の長手方向における溝幅）が比較的大きい場合には、爪先は切り込みに入り込み易い。また、その入り込みやすさは、爪部材が閉じようとするバネ力（絶縁電線を挟み付ける力）によっても異なる。さらには、絶縁電線の引き戻し方（引き戻す速さ）等によっても異なる。すなわち、ゆっくり引き戻す際には、爪先は切り込みに入り込み易い。このように、爪先の切り込みへの入り込み易さは、こうした諸条件に応じて異なるから、その爪先が切り込みに入り込み易くなるように、その諸条件に応じて、爪先の厚みや、先端の角度等を設定すればよい。また、爪部材の爪先は、絶縁電線を引き戻す際において、除去対象の絶縁層の後端に係合させる（引っ掛っている）必要がある。このため、各爪部材の爪先のうちの前方向き面（後方向き面の反対方向を向く面）が、その後端に係合し（引っ掛かり）易いように、その前方向き面と絶縁電線を押込む方向に引いた線とのなす角度は、なるべく大きくなるようにするのがよい。
【００１５】
また、爪先寄り部位の後方向き面は、構成される複数の爪部材の組合せによって、絶縁電線の前端が押込まれて前進する前方に向けて先すぼまり状をなすように形成されているものとするのが、爪先相互の間へのその押込みを容易とするために好ましい。また、この押込みを容易とするため、前記方法に用いる絶縁層除去装置には、閉じられているときの前記爪先相互の間に、前記絶縁電線の前端を押込む際のガイド手段を設けておき、該絶縁電線をこのガイド手段にガイドさせて押込むようにするとよい。このようにしておけば、柔軟な絶縁電線でも、爪先相互の間に、適正かつ容易に導くことができ、その押込みを容易にできるためである。なお、このようなガイド手段は、例えば、ブロック片に形成された直線状に延びる、凹溝又はトンネルとすることができるが、各爪部材自体の後方向き面に形成してもよい。
【００１６】
さらに、前記方法に用いる絶縁層除去装置には、絶縁電線の押し込みにおいて所定の押込みストロークが得られるように、押込まれる絶縁電線の前端が当るストッパを設けておくのが好ましい。このようにすれば、その押し込みにおいて、絶縁電線の前端を該ストッパに当接させることで、切り込みが爪先の位置になるようにしておけば、爪先を切り込みに入り込み易くすることができる。また、切り込みを爪先より適量、前方に位置させてその前進を止める場合にも、爪先を切り込みに入り込ませるための引き戻し量を所定量に設定できるため、その入り込ませの容易化が図られるためである。
【００１７】
なお、前記絶縁層除去装置における前記爪部材は、対向して２つ設けるものとするのが、該装置の構造の簡易化のために好ましい。そして、その場合には、爪部材を直線往復動するように設けてもよいが、互いに平行な軸の回りに揺動するようにピン止めするのが、開閉を円滑にするために好ましい。また、前記爪先は、挟み付ける絶縁電線を横断する方向に直線状に形成されているものとしておけばよいが、絶縁電線の導体の横断面（形状、寸法）に対応して、例えば、対向して２つの爪部材とするときは、半円弧状に形成してもよい。なお、爪部材を、対向して２つ設ける場合、一度に挟み付ける絶縁電線は、複数（本）とすることもできる。ただし、その場合には、絶縁電線のそれぞれが対向する２つ爪部材の爪先で挟み付けられるようにすることになるから、ガイド手段を設ける場合には、そのような挟み付け状態が得られるようにガイドするものとしておけばよい。また、本発明において、爪先相互間は、閉じているとき、隙間（空隙）がある状態であってもよい。
【図面の簡単な説明】
【００１８】
【図１】本発明の方法の実施形態に使用する絶縁層除去装置の一部破断概略構成正面図。
【図２】図１において基板を除くＳ１−Ｓ１線矢視断面図。
【図３】図１において基板を除くＳ２−Ｓ２線矢視断面図。
【図４】図１のＡ１部拡大図。
【図５】図１において矢印Ａ１（装置の前方から）から見た爪先部分の拡大図。
【図６】図１のＳ３−Ｓ３線矢視断面図。
【図７】切り込みが入れられた絶縁電線を説明する図、及びその切り込み部分の拡大図。
【図８】図７の絶縁電線の押込み工程を説明する模式図であって、Ａは爪先相互間に絶縁電線の前端を押込む直前の図、Ｂは爪先相互間を押し広げて絶縁電線の前端をストッパに当てるまで押込んだとき図。
【図９】図８において押込んだ絶縁電線を引き戻す工程を説明する模式図であって、Ｃは除去対象の絶縁層の後端に爪先を係合させて引き戻している途中の図、Ｄは絶縁電線を引き戻し終えて除去対象の絶縁層を除去したときの図。
【図１０】押込み工程の別例を示す図、及びその部分拡大図。
【図１１】ガイド手段の別例を示す図。
【図１２】同時に押込んた複数の絶縁電線を爪先で挟んでいる爪先部分を装置の前方から見たときの説明図。
【図１３】爪先の別例を装置の前方から見たときの説明図。
【図１４】爪部材の別例の説明図。
【発明を実施するための形態】
【００１９】
本発明を具体化した実施の形態例について説明するが、まず、本形態例において使用する絶縁層除去装置（以下、単に装置ともいう）について、図１〜図６に基づいて詳細に説明する。本例装置１００は、ベース１０上に立設された平板状の基板１１の片面（以下、基板面１２）において、一対をなす同一形状、同一構造の爪部材２０が、図示水平な直線（中心線）Ｘを挟んで対称配置で設けられている。すなわち、基板面１２には、２つの爪部材２０が、この中心線Ｘに沿って前進、後進することになる絶縁電線２００（図１中、２点鎖線で示す）を挟み付け得るように、それぞれの爪先２２相互が向かい合う配置で設けられている。この爪部材２０は、その爪部材基部２３側（図１右側）をＶ字の開脚状にし、その爪部材基部２３においてピン止め、すなわち、ピン（円軸）２５によってそのピン回りに回転するように取付けられている。これにより、各爪部材２０は、このピン２５（の中心）を回転中心として基板面１２に沿って揺動し、爪先２２相互が閉じ合うことができるように設けられている。ただし、本例においてピン２５は、その軸が互いに平行となるように設けられており、各爪部材２０は、その軸回りに回転し、爪先２２が円弧を描いて揺動するように設けられている。また、爪部材２０は、正面視（図１）、細長い多角形をなすものとされ、一定厚さの板部材から形成されている。
【００２０】
このような爪部材２０は、本例おいては基板面１２に、ネジ部材１４によって固定されたブロック状の保持部材３０の一側（中心線Ｘ側）に凹設された溝３１内において、爪部材基部２３が図示（図１）右側においてピン２５で止めされている（図１、図２参照）。したがって、各爪部材２０は、この溝３１内において、基板面１２に沿って揺動するように設けられている。また、各爪部材２０は、保持部材３０の溝３１内に配置されたバネ（例えば、コイルスプリング）２６を圧縮することによって得られるバネ力によって、互いの爪先２２が、適度の力（圧縮力）で閉じ合うように配置されている（図１、図３参照）。
【００２１】
また、本例の爪部材２０は、その爪先２２が鋭利に形成され、図４に示したように、その先端の後方（図１右）向き面２７と、前方（図１左）向き面２８とのなす角度αが、正面視、鋭角（例えば６０度）をなしている。そして、爪部材２０がバネ２６で押されて、その爪先２２相互が閉じられているときにおいて、その爪先２２寄り部位の後方向き面（図示右側）２７は、それと中心線Ｘとのなす角度βが、鋭角（例えば４０度）となるように設定されている。これにより、爪先２２相互が閉じているとき、対向する２つの爪先２２寄り部位の後方向き面２７は、その２つの後方向き面２７によって、図示（図１）左に向けて、先すぼまり状をなすように形成されている。
【００２２】
一方、爪先２２相互が閉じているとき、図４に示したように、その爪先２２寄り部位の前方向き面２８は、それと中心線Ｘとのなす角度γが、鈍角（例えば８０度）となるように設定されている。なお、各爪部材２０の爪先２２は、本例では、基板面１２（図１の紙面）に対し、垂直に延びる直線状のものとされている。すなわち、図５に示したように、対向する２つの爪部材２０の爪先（稜線）２２は、互いに平行をなし、閉じるときに、絶縁電線２００を挟み付け可能に形成されている。これにより、この絶縁層除去装置１００において、絶縁電線２００が、２つの爪部材２０の間の爪部材基部（開脚）２３側から、中心線Ｘに沿って爪先２２相互の間に向けて前進させられ、その前端が、閉じられている爪先２２相互の間に押込まれようとすると、その絶縁電線２００の前端が、各爪先２２寄り部位の角度βで傾斜する後方向き面２７に当たり、その押込み力によるところの、爪部材２０を揺動させようとする分力によって、バネ２６の圧縮力に抗して爪部材２０をその基部２３のピン２５を中心として、爪先２２が開くように、微小角度ではあるが、所定角度揺動させるように設けられている。
【００２３】
また、本例では、図１、図６に示したように、２つの爪部材２０の爪部材基部２３（開脚）相互の間には、絶縁電線２００を中心線Ｘに沿って爪先２２相互の間に向けて真っ直ぐに前進させるためのガイド手段（ガイド部材）４０が設けられている。このガイド手段４０は、絶縁電線２００を中心線Ｘに沿って爪先２２相互の間に向けてガイドして前進させることができればよく、その中心線Ｘに沿ってその両側に、絶縁電線２００と微小隙間を保持し得るように設けられた壁、又は樋状の凹溝として設けてもよいが、本例では、ガイド部材４０内に、直線のトンネル状に設けられた貫通穴（絶縁電線２００を微小隙間を保持して通すことのできる穴。以下、ガイド穴という）４３とされている。なお、本例では、そのガイド穴４３の入口（図１の右側）４４が、入口側端を向いて拡径するように設けられており、絶縁電線２００の前端の入り込み開始を容易としている。また、ガイド部材４０のガイド穴４３の出口（図１の左側）は、絶縁電線２００の前端を爪先２２相互の間に正確に誘導するため、爪先２２に近い位置において開口されている。
【００２４】
ガイド手段４０をなす、ガイド穴４３は、本例では、１本の絶縁電線２００を通して前進させることができるように、絶縁電線２００の外径より微量大きい内径の円形穴とされている。ただし、このガイド穴４３は、例えば、２本の絶縁電線２００を一度に、爪先２２相互の間に押込むことで、その２本の絶縁電線２００のそれぞれ設けられた切り込みに、対向する２つの爪先２２を入り込ませて同時に絶縁層を除去する設定としてもよい。そして、その場合のガイド穴４３は、その２本の絶縁電線２００を対向する２つの爪先２２相互の間において、それぞれが挟み付けられ得るように、例えば、２本の絶縁電線２００を通すことのできる横断面の長穴としておけばよい。これについては後述する。なお、本例では、ガイド部材４０は、その先端側が、爪部材２０の爪先２２寄り部位の後方向き面（図示右側）２７の傾斜に沿って、間隔が保持されるように先細り状に形成されており、出口はその先細り部の先端に設けられている。なお、このガイド部材４０は、基板１１に対して位置決めされ、図示はしないがネジ部材等により固定されている。
【００２５】
さらに、本例では、２つの爪先２２を挟み、ガイド部材４０が設けられている側（図１の右側）と反対側に、爪先２２相互の間に押込まれる絶縁電線２００の前端を当てることで、その前進を止めるストッパ（ストッパ部材）６０が、中心線Ｘと交差するように設けられている。このストッパ６０は、例えば、一定厚さの矩形板からなり、絶縁電線２００の前端が当たる一側面（図１の右側面。ストッパ面６１という）が、中心線Ｘと垂直をなし、図４中に示したように、閉じられている爪先２２から所定の寸法Ｌ１、離れるように設けられている。ただし、このストッパ６０は、各端寄り部位に設けられたネジ穴に、基板１１の裏面側から通されたボルト（ネジ部材）１５をねじ込むことで、取付けられている。なお、この取り付けのために、基板１１に設けられた穴は、図１中に破線で示したように、中心線Ｘに沿う方向に延びる（長い）長穴とされており、そのねじ込みに際してストッパ面６１の位置（寸法Ｌ１）の調節ができるようにされている。すなわち、絶縁電線２００に応じて、それが爪先２２相互間に押込まれて、絶縁電線２００の前端がストッパ面６１に当るときにおいて、切り込みの位置が、その爪先２２の位置と同位置なるか、爪先２２より前方（ストッパ面６１側）に位置するようにするのかによって、ストッパ面６１と爪先２２との間の寸法を調節できるようにされている。なお、ストッパ面６１をなすその一側面の各端（図１の上下の各端）寄り部位は、爪部材２０等に干渉しないように傾斜状にカットされている。なお、上記した保持部材３０固定用のネジ部材１４を通す基板１１に設けられた穴も、その固定位置の調節のため、長穴とされている。ただし、爪先相互間の位置の調節等のため、図１中に破線で示したように、中心線Ｘに直交する方向に延びる（長い）長穴とされている。
【００２６】
次に、上記したような本例絶縁層除去装置１００を用いて、絶縁電線２００の前端寄り部位に導体を露出させる方法について、図７〜図９等を参照しながら説明する。図７に示したように、絶縁電線２００の前端２０２寄り部位の絶縁層（導体を被覆している絶縁樹脂層）２０５の所定位置（絶縁電線２００の前端２０２から所定寸法Ｌ２）に、周方向に従来公知の方法によって切り込み２０７を形成しておく。この寸法Ｌ２は露出させたい導体長さに基づいて設定される。この切り込み２０７には、爪先２２が切り込み２０７に入り込み易くするため、このＬ２位置を基点として前端２０２側に向けて、適量、例えば、０．５〜２ｍｍ程度（寸法）の空隙の溝幅が形成されるようにしておいてもよいが、本例では空隙がないものとしている。これにより、この切り込み２０７を含め、これよりも前端２０２側に位置する絶縁層が除去対象の絶縁層２０５ｂとなる。なお、本例では、絶縁層除去装置１００については、爪先２２からストッパ面６１までの寸法Ｌ１を、この寸法Ｌ２と略同じとしている。
【００２７】
一方、作業者は、その電線２００の適所を把持し、図８−Ａに示したように、切り込み２０７が形成されている除去対象の絶縁層２０５ｂの前端２０２側から、ガイド部材４０のガイド穴４３の入口４４に通し、同図中に示した矢印方向に押込む。この押込みにより、上記爪部材２０の構成に基づき、絶縁電線２００の前端２０２は、先ず、各爪部材２０の爪先２２相互の間のうち、各爪先２２の先端寄り部位の先すぼまり状をなす後方向き面２７に押付けられる（図８−Ａ参照）。この押付けによる分力により、各爪部材２０はその爪先２２を開くように揺動する。すなわち、絶縁電線２００は、バネ２６に抗して、爪先２２相互の間を開くようになり、その間で挟みつけられた状態で前方に押し込まれる。そして、その前端２０２は、ストッパ６０のストッパ面６１に当り（図８−Ｂ参照）、その押込みが終了する。このとき、本例では上記の設定により、爪先２２は、絶縁電線２００の切り込み２０７箇所に位置する。このため、押込み終了時点では、両爪部材２０の爪先２２は、バネ２６により、切り込み２０７に嵌り込む形で、絶縁電線を挟み付けることになる（図８−Ｂ参照）。したがって、その後、絶縁電線２００を引き戻す際には、除去対象の絶縁層２０５ｂの後端２０３に係合状態となる。
【００２８】
すなわち、この押込み後、作業者において、絶縁電線２００の後端側を掴んで適度の引っ張り強さ、引き戻し速度で、その絶縁電線２００を図９−Ｃ中に示した矢印方向に引き戻す。これにより、除去対象の絶縁層２０５ｂは、引き戻された絶縁電線２００の前端寄り部位から抜き取られるようになり、切り込み２０７には空隙が生じるようになりその空隙は広がる。そして、その引き戻しを続けることで、除去対象の絶縁層２０５ｂは、絶縁電線２００の前端から分離し、その前端寄り部位には所定長さＬ２分、導体２１０が露出する（図９−Ｄ参照）。かくして、その除去が完了する。除去工程を詳細に説明すると以上の一連のものとなるが、この工程は、作業者において、作業対象の絶縁電線２００の前端２０２寄り部位をガイド部材４０のガイド穴４３に挿入してその前端２０２をストッパ面６１に当らせ、そして、引き戻すという、絶縁電線２００の先後動のみという単純作業で済む。このように本例方法による場合には、絶縁電線２００の前進後進という単純作業で、除去対象の絶縁層２０５ｂの除去を行うことができるから、その簡易、迅速化が図られる。なお、切り込み２０７に、その押込み前において空隙を設けておくことで、そこに爪先２２が切り込みに入りやすく、したがって、作業効率が高められる。
【００２９】
すなわち、従来のように、切り込み２０７の空隙の溝幅に対応した厚みの薄い金属帯板の一側に、絶縁電線２００が、その切り込み２０７箇所において丁度嵌り込むように、その導体の直径に略一致するＵ字状の切欠き形成してなるジグを用い、切り込み２０７より先の絶縁層の除去を行う場合には、その切り込み２０７箇所がジグの切欠きに嵌り込むように、作業者において、目でその位置関係を慎重に追い、確認しながら、その絶縁電線２００を側方へ移動する形態で、係合状態を確保する必要がある。これに対し、本例方法によるときは、絶縁電線２００の前端２０２をガイド部材４０のガイド穴４３に入れて押込み、その前端２０２をストッパ６０に当てるようにするだけで、切り込み２０７に爪先２２を入り込ませ得る。したがって、その押込み後は、引き戻すだけでよいから、従来の方法に比べると、除去すべき絶縁層の簡易、迅速な除去が可能となる。
【００３０】
なお、上記作業においては、ストッパ面６１への絶縁電線２００の前端２０２の当接（ないし衝突）があれば、作業者は、手に受ける感触で、その押込み終了を把握できるが、本例では、切り込み２０７に爪先２２を入り込ませるための、その当接ないし衝突は、作業者において目視できる。このため、その視認によっても、当接を把握できるので作業性が高められる。また、上記例では、絶縁層除去装置１００をなす爪部材装置を構成する爪部材２０のうち、絶縁電線２００の前端２０２によって押込み力を受ける少なくとも爪先２２寄り部位の後方向き面２７が、各爪部材２０の後方向き面２７の組合せによって、その前端２０２が押込まれて前進する前方に向けて、鋭角の角度βで先すぼまり状をなすように形成されている。このため、小さい押込み力で、爪先２２を開くことができるため、その押込みの円滑化が図られる。
【００３１】
さらに、本例では絶縁層除去装置１００にガイド手段４０を設けたため、絶縁電線２００を爪先２２相互間に向けて押込むことが容易となる。すなわち、絶縁電線２００が柔らかいと、前端２０２に近いところを把持しない限り真っ直ぐに前進させることは容易でないため、その前端２０２を爪先２２相互間に向けて円滑に押込むことも容易でない。これに対し、本例では上記したようにガイド手段４０を設けたことから、真っ直ぐに前進させることが容易となる。しかも、本例では、ガイド穴４３の入口４４を拡径させたため、押込み開始も容易であり、したがって、作業の高効率化が図られる。
【００３２】
なお、上記例では、ストッパ６０を設け、絶縁電線２００を爪先２２相互の間に押込んだとき、切り込み２０７が、爪先２２位置に来るように、ストッパ面６１の位置を調節した場合で説明したが、このストッパ面６１の位置は、切り込み２０７の空隙の有無、又はその空隙の溝幅の大小等に応じて適宜に設定すればよい。また、図１０に示したように、その押し込みにより、絶縁電線２００の前端２０２がストッパ面６１に当接したとき、切り込み２０７が、その爪先２２位置を越える位置となるように設けておいてもよい。この場合、その押込み後（押込み終了時）においては、爪先２２は切り込み２０７より後端側の絶縁層２０５において絶縁電線２００を挟み付ける形となる。したがって、この場合には、その後、絶縁電線２００を引き戻す際に、すなわち、その押込み後から引き戻し過程の間のうち、切り込み２０７の箇所が後退し、爪先２２の位置に来るときに、爪先２２をバネ２６力により切り込み２０７に入り込ませればよい。なお、この場合には、切り込み２０７には、適度の溝幅寸法Ｍ１（例えば０．５〜２ｍｍ程度）の空隙を設けておくのが、爪先２２を切り込み２０７に入り込ませやすくなるので、好ましいといえる。このように爪先２２が切り込み２０７に入り込めば、その後、引き戻されることによって、爪先２２は、除去対象の絶縁層２０５ｂの後端２０３に係合するから、その引き戻しの継続により、除去対象の絶縁層は、上記したのと同様にして、この絶縁電線２００から分離し、除去される。
【００３３】
このように、絶縁電線２００の押し込みにおいて、切り込み２０７が、その爪先２２位置を越える位置となるようにストッパ面６１の位置を調節しておくのは、切り込み２０７における溝幅（空隙の幅）Ｍ１が広い場合や、前端２０２から切り込み２０７までの寸法Ｌ２のバラツキが大きい場合に適する。なお、この場合には、その引き戻し過程で爪先２２が切り込み２０７に入りやすくなるように、バネ２６による挟み付け力を十分大きくするか、爪部材２０の角度αを小さく、鋭利にしておくとよい。このことより、理解されるが、本発明において、このような押込みストロークとする場合には、使用する絶縁層除去装置には、ストッパ６０が無いものであってもよい。そして、その場合には、切り込み２０７が爪先２２を越えるように押込むことでよく、そのためには、切り込み２０７が爪先２２を越える事を確認するだけでよいから、目で確認するのも容易である。
【００３４】
上記例では、爪部材２０のうち、絶縁電線２００の前端２０２によって押込み力を受ける少なくとも爪先２２寄り部位の後方向き面２７が、該各爪部材２０の該後方向き面２７によって、前端２０２が押込まれて前進する前方に向けて、鋭角の角度βで先すぼまり状をなすように形成したため、上記したように、小さい押込み力で、爪先２２を開くことができる。ただし、本発明では、複数の爪部材が、バネによって閉じられている一方、閉じられているときのその爪先相互の間に、絶縁電線がその前端からバネに抗して押込まれることによって開くように構成されていればよい。したがって、爪部材を観音開き状に、容易に押し広げ得るような爪部材装置としてなるものとする場合には、このような先すぼまりとしなくてもよい。
【００３５】
なお、本発明の方法を具体化する場合、上記例では絶縁層除去装置１００に、ガイド手段４０を設けた場合で説明したが、十分に剛性がある絶縁電線を対象とする場合には、ガイド手段は無くともよい。また、ガイド手段を設ける場合、上記例では、爪部材２０とは別に設けた場合を例示したが、図１１に示したように、爪部材２０相互が向き合う面、すなわち、各爪部材２０の爪先２２寄り部位の後方向き面２７、及びこれに連なる後方の対向面２９を、爪先２２相互間が閉じているときにおいて、絶縁電線２００をガイドさせ得るように互いに近接させるか、これらの面２７，２９自体に先後に延びる溝４６を設けることでガイド手段とすることもできる。
【００３６】
また、上記例では、対向する２つの爪先２２相互の間に１本の絶縁電線２００を押込む場合で説明したが、上記もしたように、絶縁電線は、複数（例えば、２本の絶縁電線）を、爪先相互の間に押込むこととしてもよい。すなわち、図１２に示したように、その２本の絶縁電線２００のそれぞれ設けられた切り込み２０７に、対向する２つの爪先２２を入り込ませることで、同時に２本の絶縁電線の絶縁層を除去できるため、作業効率を高めることができる。ただし、この場合において、ガイド手段を設ける場合には、図１２中に、２点鎖線で示したように、これをガイド穴１４３とする場合には、２本の絶縁電線２００を対向する２つの爪先２２相互の間において、それぞれが挟み付けられ得る形で押込められるように、その２本の絶縁電線２００を通すことのできる横断面の例えば、長穴としておけばよい。すなわち、短径（爪先２２相互間方向の寸法）が絶縁電線２００の外径より僅かに大きく、長径がその外径の２倍より僅かに大きい長穴としておけばよい。また、同時に３本以上の絶縁電線を対象とする場合には、その本数に応じた寸法の長径としておけばよい。
【００３７】
爪部材の爪先は、絶縁電線の切り込みに入り込んで、除去対象の絶縁層の後端に係合して、これを抜き取ることができればよい。したがって、上記例のような直線の稜線をもつ爪先２２でもよいが、図１３に示したように、絶縁電線２００の横断面（円形）に対応する、半円に近い凹となす円弧状の爪先（部位）１２２を有する爪先とし、これが切り込み２０７に入り込むようにしてもよい。また、図示はしないが、円弧に代えてＶ溝状のものとしてもよい。そして、前記したように、複数の絶縁電線について同時に、絶縁層を除去する場合には、このような円弧状等の爪先（部位）１２２を複数連ねるように形成しておいてもよい。
【００３８】
本発明においては、上記した技術内容に限定されるものではなく、また、それに使用する絶縁層除去装置も上記したものに限定されるものではなく、適宜に変更して具体化できる。例えば上記例では、爪部材２０が、揺動して爪先２２が開閉する爪部材２０の構造としたが、本発明において爪部材は、上記もしたことから明らかなように、爪部材は、往復動するものとしておいてもよい。例えば、図１４に示したように、それぞれの爪部材１２０が往復動するように保持部材１３０に設けられ、爪先１２２がバネ１２６で閉じられるようにしておき、絶縁電線２００が爪先１２２相互間に押込まれることで、開くようにその爪先１２２寄り部位の後方向き面１２７を形成したものとしてもよい。また、上記各例では、爪部材が２つからなる一対構造のものとしたため、その構造の単純化が図られるが、本発明において爪部材は、３爪構造など、３以上とすることもできる。
【符号の説明】
【００３９】
２０、１２０  爪部材
２２、１２２  爪先
２６  バネ
２７  爪先寄り部位の後方向き面
４０  ガイド部材（ガイド手段）
６０  ストッパ
１００  絶縁層除去装置
２００  絶縁電線
２０２  前端
２０５  絶縁層
２０５ｂ  除去対象の絶縁層
２０７  切り込み
【図１】
2014241659.tif 000003
【図２】
2014241659.tif 000004
【図３】
2014241659.tif 000005
【図４】
2014241659.tif 000006
【図５】
2014241659.tif 000007
【図６】
2014241659.tif 000008
【図７】
2014241659.tif 000009
【図８】
2014241659.tif 000010
【図９】
2014241659.tif 000011
【図１０】
2014241659.tif 000012
【図１１】
2014241659.tif 000013
【図１２】
2014241659.tif 000014
【図１３】
2014241659.tif 000015
【図１４】
2014241659.tif 000016